(57)【要約】【課題】部品などの対象物の形状やサイズが厳密に一様でなくても、対象物を固定する力が一様にかかり、十分に固定することが可能な搬送フレームを提供するとともに、金属板部材同士が良好に接合可能であり、過酷な使用環境下でも耐久性の高い搬送フレームの製造方法を提供する。  【解決手段】対象物の一時的固定のために、弾性体として平面スパイラルバネ４０、４２を用い、対象物の挿入時に平面スパイラルバネが圧縮されて効果的に対象物が２次元的に移動しつつ挿入されるようにした。表面より３nmの深さの酸素原子濃度が１５at％未満の素材からなる複数枚の金属板部材を用いて金属板部材同士が所定箇所でのみ接合されるよう、拡散接合を施し、使用時の耐久性を高めた。【選択図】図１
2012017130.tif 000002
【特許請求の範囲】
【請求項１】
対象物を一時的に固定して搬送する搬送フレームであって、前記対象物を少なくとも２カ所で支持する固定部と、前記対象物に付勢力を与えて前記固定部との間で保持して一時的に固定する弾性体とを有する搬送フレームにおいて、
前記弾性体として、平面スパイラルバネを用いたことを特徴とする搬送フレーム。
【請求項２】
前記搬送フレームが外枠を有し、前記外枠に前記平面スパイラルバネとは別の平面スパイラルバネを介して前記固定部が接続されていることを特徴とする請求項１に記載の搬送フレーム。
【請求項３】
前記搬送フレームが外枠と、前記外枠に前記平面スパイラルバネとは別の少なくとも２つの平面スパイラルバネを介して保持された押しガイド部とを有し、前記弾性体としての平面スパイラルバネが前記押しガイド部に接続されていることを特徴とする請求項１に記載の搬送フレーム。
【請求項４】
前記搬送フレームの下方に下層を有することを特徴とする請求項１から３のいずれか１つに記載の搬送フレーム。
【請求項５】
前記搬送フレームの上方に上層を有することを特徴とする請求項４に記載の搬送フレーム。
【請求項６】
前記平面スパイラルバネを含む前記搬送フレームは、一枚の金属板を加工して構成されていることを特徴とする請求項１に記載の搬送フレーム。
【請求項７】
対象物を一時的に固定して搬送する搬送フレームであって、前記対象物を少なくとも２カ所で支持する固定部と、前記対象物に付勢力を与えて前記固定部との間で保持して一時的に固定する平面スパイラルバネとを有する搬送フレームの製造方法であって、表面より３nmの深さの酸素原子濃度が１５at％未満の素材からなる複数枚の金属板部材を用いて、感光性樹脂パターン形成、エッチングパターン形成により前記複数枚の金属板部材を加工し、加工後の前記複数枚の金属板部材同士が所定箇所でのみ接合されるよう、拡散接合を施す、搬送フレームの製造方法。
【発明の詳細な説明】
【技術分野】
【０００１】
本発明は、搬送フレーム及びその製造方法に関し、特に電子部品などの対象物を加工したり、洗浄したり、搬送したりするために対象物を一時的に固定して搬送可能な搬送フレーム及びその製造方法に関する。
【背景技術】
【０００２】
従来から電子部品などの部品を製造する際には、その製造工程における、加工、搬送、洗浄などを効率よく行うために、部品などの対象物を一時的に固定して搬送する搬送用フレームが使用されることが多い。搬送用フレームは、「搬送トレー」、単に「トレー」あるいは「搬送治具」などと呼ばれることがあるが、本願では「搬送フレーム」と呼ぶことにする。
【０００３】
従来から知られている搬送フレームとしては、固定部に対して、例えば、一方向に動く板バネを用いて、部品を固定部と可動板バネの間に挟み込んで固定する方式のものがある（下記の特許文献１及び特許文献３参照）。また、搬送フレームを構成する複数の部材同士を接合するために液相拡散接合を用いる搬送フレームの製造方法が周知である（下記の特許文献２参照）。
【先行技術文献】
【特許文献】
【０００４】
【特許文献１】特開２００７−２３０５８０号公報
【特許文献２】特開２００８−６５００号公報
【特許文献３】特開２００９−９６５２３号公報
【発明の概要】
【発明が解決しようとする課題】
【０００５】
しかしながら、移動方向が限られた板バネを用いた搬送フレームでは、部品などの対象物の形状やサイズが厳密に一様でないために、部品などの対象物を固定する力が一様にかからず、十分に固定されない。そのため、部品などの対象物が洗浄や搬送工程で動いてしまい、搬送フレームの役目を十分に果たすことができないという第１の問題点がある。また、複数枚の金属板部材から構成される搬送フレームの場合、金属板部材同士を所定箇所で相互に接合する必要があるが、界面の酸素原子濃度を０．１〜３at％に制御して、液相拡散接合する方法では大気中で表面の酸素原子濃度を３at％未満にすることは困難であり、接合に不具合が生じやすく、使用環境によっては接合部の剥がれなどの耐久性に問題があるという第２の問題点がある。
【０００６】
したがって、本発明は上記第１の問題点を解決し、部品などの対象物の形状やサイズが厳密に一様でなくても、部品などの対象物を固定する力が一様にかかり、十分に固定することが可能で、部品などの対象物が洗浄や搬送工程で動いてしまうことのない、搬送フレームを提供することを第１の目的とする。
また、本発明は、上記第２の問題点を解決し、金属板部材同士が良好に接合可能であり、過酷な使用環境下でも耐久性の高い搬送フレームの製造方法を提供することを第２の目的とする。
【課題を解決するための手段】
【０００７】
上記第１の目的を達成するために、本発明では対象物の一時的固定のために、平面スパイラルバネを用いている。すなわち本発明によれば、対象物を一時的に固定して搬送する搬送フレームであって、前記対象物を少なくとも２カ所で支持する固定部と、前記対象物に付勢力を与えて前記固定部との間で保持して一時的に固定する弾性体とを有する搬送フレームにおいて、
前記弾性体として、平面スパイラルバネを用いたことを特徴とする搬送フレームが提供される。
また、上記第２の目的を達成するために、本発明では搬送フレームを構成する複数枚の金属板部材を加工して、所定箇所で相互に接合しているが、これらの金属板部材の表面より３nmの深さの酸素原子濃度が１５at％未満にすることにより、拡散接合性を良好にし、過酷な使用環境下でも高い耐久性を得ている。
すなわち、本発明によれば、対象物を一時的に固定して搬送する搬送フレームであって、前記対象物を少なくとも２カ所で支持する固定部と、前記対象物に付勢力を与えて前記固定部との間で保持して一時的に固定する平面スパイラルバネとを有する搬送フレームの製造方法であって、表面より３nmの深さの酸素原子濃度が１５at％未満の素材からなる複数枚の金属板部材を用いて、感光性樹脂パターン形成、エッチングパターン形成により前記複数枚の金属板部材を加工し、加工後の前記複数枚の金属板部材同士が所定箇所でのみ接合されるよう、拡散接合を施す、搬送フレームの製造方法が提供される。
【０００８】
なお、前記搬送フレームが外枠を有し、前記外枠に前記平面スパイラルバネとは別の平面スパイラルバネを介して前記固定部が接続されていることは、本発明の好ましい態様である。また、前記搬送フレームが外枠と、前記外枠に前記平面スパイラルバネとは別の少なくとも２つの平面スパイラルバネを介して保持された押しガイド部とを有し、前記弾性体としての平面スパイラルバネが前記押しガイド部に接続されていることは、本発明の好ましい態様である。また、前記搬送フレームの下方に下層を有することは本発明の好ましい態様である。また、前記搬送フレームの上方に上層を有することは、本発明の好ましい態様である。さらに、前記平面スパイラルバネを含む前記搬送フレームは、一枚の金属板を加工して構成されていることは、本発明の好ましい態様である。
【発明の効果】
【０００９】
請求項１に記載の搬送フレームによれば、弾性体としての平面スパイラルバネが２次元的に伸縮可能であり、固定部との相互作用により、サイズや形状が一様でない部品などの対象物の挿入時に平面スパイラルバネが圧縮されて効果的に対象物が２次元的に移動しつつ挿入されるようにし、結果として短時間で効率よく一時的に固定することができ、洗浄や搬送の効率を向上させることができる。また、請求項７に記載の搬送フレームの製造方法によれば、相互に接合される複数枚の金属板部材について、表面より３nmの深さの酸素原子濃度が１５at％未満にすることにより、拡散接合性を良好にして搬送フレームを造ることができる。接合性が良好となることにより、搬送や洗浄など過酷な使用条件下においても多層構造の搬送フレームの接合部分が剥がれにくくなり、耐久性が向上する。
【図面の簡単な説明】
【００１０】
【図１】本発明の搬送フレームの好ましい実施の形態の要部である中層を示す平面図である。
【図２】図１に示す要部を含む搬送フレームの上層を示す平面図である。
【図３】図１に示す要部を含む搬送フレームの下層を示す平面図である。
【図４】図１に示す要部を含む搬送フレームの好ましい実施の形態の平面図である。
【図５】図４の搬送フレームを点線で切断して矢印方向に見た断面図である。
【図６】図５の搬送フレームに２つの部品が保持されている様子を示す断面図である。
【図７】図１の中層の中で、上層及び下層に接合される部分と接合されない部分を識別して示した模式的平面図である。
【図８】本発明の搬送フレームの製造方法の好ましい実施の形態の示す模式図である。
【図９】本発明の搬送フレームの製造方法の好ましい実施の形態を説明するためのグラフであり、ＳＵＳ３０４素材の深さが３nmの酸素原子濃度が１５at％以上と１５at％未満の素材の鉄の化学シフトを示したものである。
【図１０】本発明の搬送フレームの製造方法の好ましい実施の形態を説明するためのグラフであり、ＳＵＳ３０４素材の深さが３nmの酸素原子濃度が１５at％以上と１５at％未満の素材のクロムの化学シフトを示したものである。
【図１１】本発明の搬送フレームの製造方法の好ましい実施の形態により製造された搬送フレームの接合状態を示す写真であり、深さ３nmの酸素原子濃度が１５at％以上の厚さ0.4mmのＳＵＳ３０４素材と１５at％未満厚さ0.4mmのＳＵＳ３０４の素材の拡散接合状態を示したものである。
【発明を実施するための形態】
【００１１】
本発明の好ましい実施の形態について図面を参照して説明する。図１は、本発明の搬送フレームの好ましい実施の形態の要部である搬送フレーム１０の中層１４の平面図である。図１に示す中層１４は、図２に示す搬送フレームの上層１２と、図３に示す搬送フレームの下層１６により上下からサンドイッチ状に挟み込まれて、搬送フレーム１０が完成する。図４は、搬送フレーム１０の平面図である。図５は、搬送フレーム１０のかかる上層１２、中層１４、下層１６の積層状態を示す断面図である。また、図６は、図５の搬送フレーム１０に２つの部品４４、４６が保持されている様子を示す断面図である。
【００１２】
本発明の搬送フレーム１０は、上述のように、上層１２と、中層１４と、下層１６の３層構造をとることが基本であるが、上層１２は不要な場合があり、その場合は、中層１４と下層１６の２層構造とすることができる。また特殊な用途の場合、上層１２のみならず、下層１６をも除去して中層１４のみで搬送フレームを構成することもできる。このように、本発明の搬送フレームは、基本構造は３層であるものの、用途などに応じて、上述のように、２層あるいは１層構造とすることもできる。いずれの場合も中層１４は必須であり、また本発明の新規な構成の多くはこの中層１４の構造にある。
【００１３】
したがって、まず中層１４の構造について説明する。中層１４は、四角な枠状の枠部１４Ａと、殆どの部分が枠部１４の内部空間に存在する中部ガイド部１４Ｂと、枠部１４の内部空間内で、中部ガイド部１４Ｂと平行に配される押しガイド部１４Ｃと、後述する複数の平面スパイラルバネ３４、３６、３８、４０、４２とを有している。枠部１４Ａは、四角形（本実施の形態では、長方形）のすべての辺のほほ全部に沿って一周するよう、配されているが、図１の右側に示されるように完全に一周するのではなく、わずかな隙間１４Ｄがある。図１における横方向をＸ方向、縦方向をＹ方向として以下の説明を行う。枠部１４Ａは、相互に対向する２つの長手部１４Ａ−１、１４Ａ−２と、これらの図中左端同士を連結する短手部１４Ａ−３と、長手部１４Ａ−１の右端から図中上方に伸長する右端下部１４Ａ−４と、長手部１４Ａ−２の右端から図中下方（Ｙ方向）に伸長する右端上部１４Ａ−５とを有し、さらに、短手部１４Ａ−３の略中央部から図中右方向（Ｘ方向）に僅かに伸長する突起部２４と、短手部１４Ａ―３の上端に近い位置から図中右方（Ｘ方向）に僅かに伸長する突起部２６と、右端上部１４Ａ−５の上端に近い位置から図中左方（Ｘ方向）に僅かに伸長する突起部２８とを有する。突起部２４の先端には、平面スパイラルバネ２４の一端が設けられ、平面スパイラルバネ２４の他端には中部ガイド部１４Ｂの左端部が設けられている。中部ガイド部１４Ｂは、２つのＵ字状凹部１８、２０を形成する構造を有し、中部ガイド部１４Ｂの右端には突起部２２が存在する。この突起部２２の一部は、前述の枠部１４Ａの隙間１４Ｄから枠部１４Ａの外部に突出している。
【００１４】
突起部２６と２８の間には、平面スパイラルバネ３６、３８を介して前述の押しガイド部１４Ｃが設けられている。押しガイド部１４には、その左端及び右端から所定距離の位置に図中下方（Ｙ方向）に僅かに伸長する突起部３０、３２があり、突起部３０、３２のそれぞれには、平面スパイラルバネ４０、４２の一端が設けられている。平面スパイラルバネ４０、４２の他端は、中部ガイド部１４Ｂの２つのＵ字状凹部１８、２０のそれぞれの、Ｘ方向の略中央部に位置する。
【００１５】
次に前述の３層構造の本発明の実施の形態について説明する。図２は、搬送の対象物である、例えば部品が入るように開口している上部開口部１２Ａ、１２Ｂを備える上層１２の平面図であり、また、図４は、上層１２の上部開口部１２Ａ、１２Ｂより小さい下部開口部１６Ａ、１６Ｂを備える下層１６の平面図であり、中層１４は、これら上層１２と下層１６の間に挟み込まれる形となる。なお、図５の断面図に示されるように、上層１２と下層１６は、それぞれ外周部分に縁部を有し、この縁部でのみ中層１４と接合されているので、中層のうち、中部ガイド部１４Ｂや押しガイド部１４Ｃなどは、上層１２及び下層１６には接触しない構造となっている。
【００１６】
図７は本発明の搬送フレーム１０の上記実施の形態の中層１４のどの部分が上層１２及び下層１６と接合されるかを模式的に示す平面図である。中層１４のうち、上層１２及び下層１６に固定される部分は、梨地で示され、一方、上層１２及び下層１６に固定されない部分は、無地で示されている。なお、上記実施の形態では、上層１２及び下層１６に固定される部分（梨地で示された部分）は、前述の特許文献２に記載の拡散接合により、固定されている。固定されていない部分中、中部ガイド部１４Ｂと押しガイド部１４Ｃは、固定されている部分に対して、図中Ｘ方向及びＹ方向を含む２次元方向に移動可能である。かかる２次元的な移動を本発明では「揺動」と呼ぶ。
【００１７】
上記中層１４の構成及び動作についてさらに詳しく説明すると、押しガイド部１４Ｃは、平面スパイラルバネ３６、３８を介して、突起部２６、２８の間に設けられ、また中部ガイド部１４Ｂは、平面スパイラルバネ３４を介して突起部２４に支持されている。すなわち、押しガイド部１４Ｃと中部ガイド部１４Ｂは、これらの突起部３６、３８、２４を介して中層１４の固定部分（梨地部分）に揺動可能に一体化している。平面スパイラルバネ４０、４２は、突起部３０、３２を介して押しガイド部１４Ｃに一体化している。なお、枠部１４Ａ、中部ガイド部１４Ｂ、押しガイド部１４Ｃ、突起部２４、２６、２８、３０、３２、平面スパイラルバネ３４、３６、３８、４０、４２、すなわち中層１４の各要素は、１枚の金属板を用いてエッチングにより一体構造として造られる。
【００１８】
このように、中部ガイド部１４Ｂが平面スパイラルバネ３４により突起部２４に揺動可能に設けられていることにより、中部ガイド部１４Ｂは左右上下に、すなわち図７の紙面に平行な２次元的に固定部に対して揺動可能となり、部品などの対象物を２つのＵ字状凹部１８、２０と平面スパイラルバネ３０、３２により構成される対象物収納部にインサートし易くしている。なお、部品などの対象物は、使用者が手作業で対象物収納部にインサートする場合もあるし、又は、機械などで振動させながら自動的に対象物収納部にインサートする場合もある。また、押しガイド部１４Ｃは、平面スパイラルバネ３６、３８によって、左右上下に（上記２次元的に）揺動可能であり、したがって、押しガイド部１４Ｃに突起部３０、３２を介して設けられた平面スパイラルバネ４０、４２も２次元的に揺動可能であり、対象物である部品を２つのＵ字状凹部１８、２０と平面スパイラルバネ３０、３２により構成される対象物収納部にインサートし易くしている。
【００１９】
このようにして対象物収納部にインサート（挿入）された部品などの対象物は、上記２つのＵ字状凹部１８、２０と平面スパイラルバネ３０、３２により一時的に固定され、搬送や対象物の加工などが行われる。
【００２０】
上記実施の形態では、対象物収納部として、中部ガイド部１４ＢにＵ字状凹部１８、２０を設けているが、この部分の形状は、Ｕ字状凹部に限らず、すなわち、３点で支持する代わりに２点で支持するＶ字状凹部であってもよい。すなわち、中部ガイド部１４Ｂは、１つの対象物の収納部として、少なくとも２点で支持する構造であればよい。
【００２１】
また、本発明では平面スパイラルバネ３４、３６、３８、４０、４２を用いているが、これらのうち、平面スパイラルバネ３４、３６、３８は、それらの両側で他の部材に接合されている。すなわち、平面スパイラルバネ３４は、突起部２４と中部ガイド部１４Ｂの左端との間に設けられていて、また、平面スパイラルバネ３６は突起部２６と押しガイド部１４Ｃの左端の間に、また平面スパイラルバネ３８は、突起部２８と押しガイド部１４Ｃの右端と間に設けられている。これらの平面スパイラルバネ３４、３６、３８は、そのスパイラル構造の内、最外周の略半円部分の両端が他の部材と結合されている。したがって、中部ガイド部１４Ｂや押しガイド部１４Ｃの揺動時に、スパイラル構造の内、最外周の略半円部分が半径外方に付勢されるときは、この略半円部分のみが弾性力を提供する。一方、中部ガイド部１４Ｂや押しガイド部１４Ｃの揺動時に、スパイラル構造の内、最外周の略半円部分が半径内方に付勢されるときは、この略半円部分が半径内方向に圧縮されるので、付勢力が強い場合、最外周の半円部分は、その内側のスパイラル構造に当接し、最外周から２番目のスパイラル構造は最外周から３番目のスパイラル構造に当接するというように順次当接するので、１つの平面スパイラルバネに加えられる圧縮力に応じて当該平面スパイラルバネの複数の周のスパイラル構造が当接して圧縮力を吸収する。
【００２２】
平面スパイラルバネ４０、４２は、スパイラル構造の最外周の端部でそれぞれ突起部３０、３２に設けられているが、部品などの対象物が収納部に挿入される過程では、平面スパイラルバネ４０、４２の図中下端が部品などの対象物と接触し、上記他の平面スパイラルバネ３４、３６、３８と同様に作用する。すなわち、部品などが挿入される過程では、平面スパイラルバネ４０、４２に部品から応力が加えられると、１つの平面スパイラルバネに加えられる圧縮力に応じて当該平面スパイラルバネの複数の周のスパイラル構造が当接して圧縮力を吸収する。
【００２３】
図８は、本発明に係る搬送フレーム１０の製造方法の実施の形態を説明するための断面図による工程の説明図である。まず、ステンレス板などの素材の表面の油分をアルカリで洗浄し、塩酸や硝酸などの酸を用いて３nmの深さの酸素原子量を１５at％未満にする。なお、あらかじめ別工程で３nmの深さの酸素原子量を１５at％未満にした素材がある場合は、上記洗浄工程と酸処理工程を省略することができる。次に、ドライフイルムやスピンコーターなどを用いて感光性樹脂を素材の上に形成する。次に、感光性樹脂に光や電子を照射して感光させる。そして、アルカリ性の現像液に浸漬して、光や電子を照射した部分を溶解させて（ポジ型感光性樹脂）、凹凸のある感光性樹脂のパターンを形成する。次に、素材にあったエッチング液（例えば、塩化第二鉄）を用いて、凹形、抜き形のエッチングパターンを形成する。次に、凹形、抜き形のエッチングパターンを重ね、拡散接合を行い一体化して搬送フレーム１０を形成する。
【００２４】
図９は、本発明に係る搬送フレーム１０の製造方法の実施の形態において、ＳＵＳ３０４素材の深さが３nmの酸素原子濃度が１５at％以上と１５at％未満の素材の鉄の化学シフトを示した図である。図９において、酸素原子濃度が１５at％以上の素材は、本発明の製造工程を経ていない。また、１５at％未満の素材は本発明の製造工程を経ているものである。それぞれの素材の３nmの深さの位置をＸ線光電子分光法（Quanter2000アルバック.ファイ製）で分析すると、１５at％以上の素材は酸素原子濃度が２０．５８at％、Fe2O3の化学結合であった。１５at％未満の素材は酸素原子濃度が１４．７５at％、Feの化学結合であった。
【００２５】
図１０は、本発明に係る搬送フレーム１０の製造方法の実施の形態において、ＳＵＳ３０４素材の深さが３nmの酸素原子濃度が１５at％以上と１５at％未満の素材のクロムの化学シフトを示した図である。図１０において、酸素原子濃度が１５at％以上の素材は、本発明の製造工程を経ていない。また、１５at％未満の素材は本発明の製造工程を経ているものである。それぞれの素材の３nmの深さの位置をＸ線光電子分光法（Quanter2000アルバック.ファイ製）で分析すると、１５at％以上の素材は酸素原子濃度が２０．５８at％、Cr2O3の化学結合であった。１５at％未満の素材は酸素原子濃度が１４．７５at％、Crの化学結合であった。
【００２６】
図１１は、本発明に係る搬送フレームの製造方法の実施の形態において、深さ３nmの酸素原子濃度が１５at％以上の厚さ0.4mmのＳＵＳ３０４素材と１５at％未満厚さ0.4mmのＳＵＳ３０４の素材の拡散接合状態を示した写真である。すなわち拡散接合したそれぞれの素材の断面に加工し、走査電子顕微鏡（SU6600日立ハイテクノロノジー製）で観察した結果（写真）が図１１に示されている。図１１において、酸素原子濃度が１５at％以上の素材は、本発明の製造工程を経ていない。また、１５at％未満の素材は本発明の製造工程を経ているものである。酸素原子濃度が１５at％以上の厚さ0.4mmのＳＵＳ３０４素材を拡散接合する。そして、酸素原子濃度が１５at％未満の厚さ0.4mmのＳＵＳ３０４素材を拡散接合する。図１１より、本発明の製造工程を経ていない酸素原子濃度が１５at％以上の素材は接合不良を起こしていたことがわかる。また、本発明の製造工程を経ている１５at％未満の素材は接合が良好であった。
【産業上の利用可能性】
【００２７】
以上説明したように本発明は、対象物を一時的に固定して搬送する搬送フレームであって、対象物を少なくとも２カ所で支持する固定部と、対象物に付勢力を与えて前記固定部との間で保持して一時的に固定する弾性体とを有する搬送フレームにおいて、弾性体として、平面スパイラルバネを用いたので、対象物を対象物収納部にインサートしやすく、短時間で対象物を一時的にかつ確実に固定することが可能である。
また本発明において、表面より３nmの深さの酸素原子濃度が１５at％未満の素材から構成することにより、拡散接合性を良好にし、一様でない部品を効率よく固定することができ、洗浄や搬送の効率を向上させる搬送フレームを造ることを主眼としているが、投入口を部品の形状に合わせ、さらに、二連などにすることによりさらに効率が向上し、電子部品以外の製造に伴う搬送に応用できる。
したがって、本発明は、電子部品を初めとする各種対象物の一時的固定による搬送のための搬送フレームと、その製造方法を用いる各種産業において有用である。
【符号の説明】
【００２８】
１０    搬送フレーム
１２    上層
１２Ａ、１２Ｂ    上部開口
１４    中層
１４Ａ    
１４Ａ−１、１４Ａ−２    長手部
１４Ａ−３    短手部
１４Ａ−４    右端下部
１４Ａ−５  右端上部
１４Ｂ    中部ガイド部
１４Ｃ    押しガイド部
１４Ｄ    隙間
１６    下層
１６Ａ、１６Ｂ    下部開口
１８、２０    Ｕ字状凹部
２２、２４、２６、２８、３０、３２    突起部
３４、３６、３８、４０、４２    平面スパイラルバネ
４４、４６    部品（対象物）
【図１】
2012017130.tif 000003
【図２】
2012017130.tif 000004
【図３】
2012017130.tif 000005
【図４】
2012017130.tif 000006
【図５】
2012017130.tif 000007
【図６】
2012017130.tif 000008
【図７】
2012017130.tif 000009
【図８】
2012017130.tif 000010
【図９】
2012017130.tif 000011
【図１０】
2012017130.tif 000012
【図１１】
2012017130.tif 000013